(57)【要約】【課題】非接触で自動的に正確な測定ポイントで体温の測定を行う放射温度計を提供することを目的とする。【解決手段】上記問題を解決するため、カメラ及び、非接触の温度センサ、前記温度センサから得られる測定信号により前記被測定者の体温を算出する演算処理部と、前記カメラで撮影した画像とその他の情報を表示するディスプレイを備える。体温の測定時は前記ディスプレイに測定ポイント或いは測定エリアと、前記カメラで撮影した動画が表示される。前記演算処理部は前記カメラからの画像データでもって、前記体温計と前記被測定者の顔との相対位置関係を認識し、前記体温計に対し前記被測定者の顔の相対的位置が所定の範囲に入ったことをトリガとして、自動的に測定を開始する。前記演算処理部により被測定者の顔が所定の範囲内に入ることにより測定をスタートさせるため、測定ポイントを正しい位置に合わせることができ、正確な体温の測定が可能となる。【選択図】図１
2014018334.tif 000002
【特許請求の範囲】
【請求項１】
被測定者の顔を撮影するカメラと、
被測定者の顔の表面温度を非接触で測定する温度センサと、
前記温度センサから得られる測定信号により前記被測定者の体温を算出する演算処理部と、
前記カメラで撮影した画像及び前記被測定者の体温を表示するディスプレイと
を備えた体温計において、
前記演算処理部は前記カメラからの画像データでもって前記体温計と前記被測定者の顔との相対位置関係を認識し、前記体温計に対し前記被測定者の顔の相対的位置が所定の範囲に入ったことをトリガとして、自動的に測定を開始することを特徴とする体温計。
【請求項２】
前記温度センサの測定ポイント或いは測定エリアを前記ディスプレイに表示することを特徴とする請求項１に記載の体温計。
【請求項３】
測定開始前に前記ディスプレイに表示される画像は動画であり、測定開始以降に静止画とすることを特徴とする請求項１に記載の体温計。
【発明の詳細な説明】
【技術分野】
【０００１】
本発明は、人体の体温を測定する非接触の体温計に関する。
【背景技術】
【０００２】
近年の新型インフルエンザの流行により、感染拡大の防止を目的として、人が集まる施設の入口等で、体温を測定するケースが増えてきている。
【０００３】
体温を測定する方法として短時間で、なおかつ非接触で衛生的である放射温度計で被測定者の額の温度を測定する方法がよく使用される。放射温度計は手持ちタイプの物や据え置きのミラータイプのものがある。
【先行技術文献】
【特許文献】
【０００４】
【特許文献１】特開２０１１−１６９７４１
【特許文献２】特開２０１１−１７９９８６
【発明の概要】
【発明が解決しようとする課題】
【０００５】
手持ち式の放射温度計を用いて額などの顔の一部の温度を測定する場合は、被測定者一人で使用すると、測定ポイントの位置を把握しづらく、所望している位置で体温を測定することは困難である。また、測定者と被測定者の二人で使用する場合は正確に測定ポイントの位置を決めることができるが、被測定者と対面する必要があり、インフルエンザ拡大防止の観点から望ましくない。さらに、手持ち式の放射温度計の場合は本体を手で触れる必要があり衛生上問題がある。
【０００６】
ミラータイプの放射温度計の場合は、上記の問題は解決されるが次の問題がある。ミラータイプの放射温度計は通常、距離センサが一定の距離内で物体を検知すると、自動で体温の測定を開始し終了する。距離センサは、額でなくても、人体の一部でなくても検知してしまい、正しい測定ポイントでなくても体温の測定が行われる問題がある。正しい測定ポイントで測定できたかどうかは被測定者が判断する必要があり、ミラータイプの放射温度計の特徴を熟知する必要がある。それ故、ミラータイプの放射温度計の使用に慣れていない被測定者が使用すると異常な体温であっても、それを見逃してしまう恐れがある。
【課題を解決するための手段】
【０００７】
上記の問題を解決するため、本発明の体温計には、被測定者の顔を撮影するカメラと、被測定者の顔の表面温度を非接触で測定する温度センサと、前記温度センサから得られる測定信号により前記被測定者の体温を算出する演算処理部と、前記カメラで撮影した画像及び前記被測定者の体温を表示するディスプレイを備える。体温の測定時は前記ディスプレイに測定ポイントあるいは測定エリアと、前記カメラで撮影した動画が表示される。
【０００８】
前記演算処理部は前記カメラからの画像データでもって、前記体温計と前記被測定者の顔との相対位置関係を認識し、前記体温計に対し前記被測定者の顔の相対的位置が所定の範囲に入ったことをトリガとして、自動的に測定を開始する。
【発明の効果】
【０００９】
前記演算処理部により被測定者の顔が所定の範囲内に入ることにより測定をスタートさせるため、測定ポイントを正しい位置に合わせることができ、正確な体温の測定が可能となる。
【００１０】
また、前記ディスプレイに表示される画像を測定開始以降に静止画とすることで、測定終了時に正しい測定ポイントで体温を測定できたかどうかを確認することが容易である。
【図面の簡単な説明】
【００１１】
【図１】本発明の実施の外観図である。
【図２】本発明の実施のシステムブロック図である。
【図３】本発明の実施の測定ポイントを示す模式図である。
【図４】本発明の実施の測定エリアを示す模式図である。
【発明を実施するための形態】
【００１２】
図１に本発明の放射温度計１の一実施形態を示す。この放射温度計１は、温度センサ２と、カメラ３と、ディスプレイ４と、演算処理部５と、制御部６と、本体ケース７を備える。
【００１３】
温度センサ２は非接触で表面の温度を測定するセンサである。本体ケース７の前面に設置され、被測定者の体表面の温度を測定する。
【００１４】
カメラ４は、被測定者の顔を動画で撮影する。本体ケース７に体表面温度センサ２と同じ方向を向いて設置される。撮影した画像データは制御部６へ送られる。
【００１５】
ディスプレイ４は本体ケース７の前面に設置される。ディスプレイ４は制御部６で制御される。体温測定開始前はカメラ３で撮影したリアルタイムの被測定者の顔と、測定ポイント８もしくは測定エリア９などを動画で表示させる。測定ポイント８および測定エリア９の例を図３、および図４に示す。体温測定開始以降は体温を計測した瞬間のカメラ３で撮影した被測定者の顔と、測定ポイント８あるいは測定エリア９と、体温の測定結果を表示させる。
【００１６】
演算処理部５は、温度センサ２のデータから、被測定者の体温を算出し、制御部６へ算出結果を送る。
【００１７】
また、演算処理部５は制御部６からの画像データでもって、温度センサ２と被測定者の顔との相対位置関係を画像処理で認識し、顔の相対位置が所定の範囲に入ったことを確認すると温度測定開始のトリガを制御部に送る。
【００１８】
制御部６は演算処理部５からの温度測定開始トリガを認識すると演算処理部５からの体温データが安定していることを判断して、温度測定を終了する。温度測定終了後はディスプレイ４に温度測定結果と温度測定が終了したときのカメラ３からの顔画像と測定ポイント８または測定エリア９を表示させる。
【符号の説明】
【００１９】
１    放射温度計
２    温度センサ
３    カメラ
４    ディスプレイ
５    演算処理部
６    制御部
７    本体ケース
８    測定ポイント
９    測定エリア
【図１】
2014018334.tif 000003
【図２】
2014018334.tif 000004
【図３】
2014018334.tif 000005
【図４】
2014018334.tif 000006